(57)【要約】【課題】  コネクタを容易に着脱可能としつつも、コネクタ接続部の防水状態を確実に維持することができる電子機器の防水構造を提供する。【解決手段】  コネクタ接続部を備えた電子機器の防水構造であって、当該電子機器の本体に対して開閉可能に設けられた蓋部材と、前記蓋部材が閉じた状態において、前記本体と前記蓋部材との間で、当該電子機器外部に対して防水状態が形成されつつ密閉される領域として形成される収納部と、を有し、前記コネクタ接続部は前記収納部内に配置されており、前記コネクタ接続部に接続されるコネクタは前記収納部内に収納可能であり、当該コネクタから延びるケーブルを、前記収納部の防水状態を維持したまま、前記蓋部材と前記本体との間から当該電子機器外部へと案内する防水案内部をさらに設けたことを特徴とする電子機器の防水構造を提供する。【選択図】  図２
2007305353.tif 000002
【特許請求の範囲】
【請求項１】
コネクタ接続部を備えた電子機器の防水構造であって、
当該電子機器の本体に対して開閉可能に設けられた蓋部材と、
前記蓋部材が閉じた状態において、前記本体と前記蓋部材との間で、当該電子機器外部に対して防水状態が形成されつつ密閉される領域として形成される収納部と、を有し、
前記コネクタ接続部は前記収納部内に配置されており、
前記コネクタ接続部に接続されるコネクタは前記収納部内に収納可能であり、
当該コネクタから延びるケーブルを、前記収納部の防水状態を維持したまま、前記蓋部材と前記本体との間から当該電子機器外部へと案内する防水案内部をさらに設けたことを特徴とする電子機器の防水構造。
【請求項２】
前記蓋部材は、一端が回動可能に前記本体に軸支されると共に前記収納部を密閉する密閉部材と、前記密閉部材によって前記収納部が密閉された状態を維持するためのロック手段を有する外蓋部材と、を備えることを特徴とする請求項１に記載の電子機器の防水構造。
【請求項３】
前記外蓋部材は、前記密閉部材が前記収納部を密閉している状態で、前記密閉部材を当該電子機器の外側から覆うと共に、前記密閉部材に沿ってその回動軸に直交する方向にスライド可能に取り付けられており、且つ前記密閉部材と共に回動し、
前記ロック手段は、前記密閉部材が閉じた状態において、前記外蓋部材を前記回動軸に直交する方向において回動軸から離れた方向から回動軸へ近づく方向へスライドさせることにより、前記外蓋部材が前記密閉部材が閉じた状態を維持するよう機能する構成を有することを特徴とする請求項２に記載の電子機器の防水構造。
【請求項４】
前記防水案内部は、前記ケーブルを、前記外蓋部材のスライド方向に案内することを特徴とする請求項３に記載の電子機器の防水構造。
【請求項５】
前記本体は前記収納部の周囲に突設された係合部を有しており、前記密閉部材は前記係合部に沿って配設されると共に前記係合部に係合する被係合部を有することを特徴とする請求項２から４のいずれかに記載の電子機器の防水構造。
【請求項６】
前記密閉部材は板状部材であって、前記被係合部は前記密閉部材の周縁部に備えられ且つ他の部位よりも所定量前記収納部側に突出していることを特徴とする請求項５に記載の電子機器の防水構造。
【請求項７】
前記係合部または前記被係合部のいずれか一方はその断面形状が凸型であり、他方の断面形状は前記凸型に係合するよう形成された凹型であることを特徴とする請求項６に記載の電子機器の防水構造。
【請求項８】
前記防水案内部は、前記係合部に形成され前記係合部の断面に略平行な方向に延びる第一の溝部と、前記被係合部において前記第一の溝部に対向する位置に形成され前記被係合部の断面に略平行な方向に延びる第二の溝部とを有し、
前記第一の溝部と前記第二の溝部とにより前記ケーブルを挟持することにより、前記ケーブルを前記収納部の防水状態を維持したまま、前記蓋部材と前記本体との間から前記電子機器外部へと案内することを特徴とする請求項６または７に記載の電子機器の防水構造。
【請求項９】
前記第一の溝部および前記第二の溝部は、前記密閉部材の回動軸に直交する方向に延びることを特徴とする請求項８に記載の電子機器の防水構造。
【請求項１０】
前記防水案内部は、前記ケーブルがない状態において、前記第一の溝部が前記被係合部に覆われることにより、また前記第二の溝部が前記係合部に覆われることにより、前記収納部の防水状態を維持することを特徴とする請求項８または９に記載の電子機器の防水構造。
【請求項１１】
前記係合部または前記被係合部のうちの少なくともいずれか一方が弾性部材により形成されていることを特徴とする請求項５から１０のいずれかに記載の電子機器の防水構造。
【請求項１２】
前記被係合部が弾性部材により形成されている場合に、前記蓋部材が前記被係合部を前記係合部側へ押圧するための突起である被係合部押圧突部を備えることを特徴とする請求項１１に記載の電子機器の防水構造。
【請求項１３】
前記密閉部材が弾性部材により形成されていることを特徴とする請求項２から１２のいずれかに記載の電子機器の防水構造。
【請求項１４】
前記外蓋部材は、前記ケーブルを案内するための切り欠き部を有し、
前記切り欠き部と前記防水案内部とは、前記蓋部材が閉じた状態において、前記密閉部材の回動軸に直交する方向に沿うように配置されていることを特徴とする請求項２から１３のいずれかに記載の電子機器の防水構造。
【請求項１５】
前記コネクタ接続部に接続されるコネクタはＬ字型のプラグであり、前記密閉部材は、前記蓋部材が閉じた状態において、前記プラグに当接すると共に前記プラグをその差込方向に押圧可能であることを特徴とする請求項２から１４のいずれかに記載の電子機器の防水構造。
【請求項１６】
前記収納部は、当該プラグがその差込方向に押圧された場合に、前記コネクタ接続部を前記差込方向とは逆方向に付勢する付勢手段をさらに備えることを特徴とする請求項１５に記載の電子機器の防水構造。
【請求項１７】
前記収納部は、電池、記録媒体、有線接続コネクタのうちの少なくともいずれかをさらに収納可能であることを特徴とする請求項１から１６のいずれかに記載の電子機器の防水構造。
【発明の詳細な説明】
【技術分野】
【０００１】
本発明は、電子機器のコネクタ部分の防水構造に関するものである。
【背景技術】
【０００２】
近年、携帯型の電子機器は、デジタルカメラ、携帯音楽プレーヤ、携帯電話等、多種多様であり、その機能も充実している。それらの電子機器の多くは、外部機器や付属品等を接続するための端子を有している。例えば、それらの端子には、イヤホンジャック、ＵＳＢコネクタ、充電端子等その他様々なものがある。また、それらの電子機器は、充電電池や記録媒体を備える場合、その充電電池や記録媒体を着脱するための着脱口を有している。
【０００３】
一般的に、電子機器は水気に弱い。上述のような電子機器は、ユーザと共に様々な環境に持ち出される。したがって、時には雨に濡れてしまったり、水の中へ落としてしまったり、飲料をこぼしてしまったりということも想定される。よって、携帯型の電子機器に防水構造を備え付けることは、電子機器の信頼性の観点からも重要な課題である。しかし、そのような電子機器に防水構造を採用する場合、例えば、上述のような端子や着脱口をどのように防水するかが問題となる。そのような端子や着脱口に対しては、その機能性が失われることなく防水構造が構築されることが好ましい。
【０００４】
例えば、特許文献１には、電子機器（デジタルカメラ）において、電池を収納する電池収納室に対して開閉する蓋部分の防水構造が開示されている。具体的には、その電子機器には、その底面部に電池収納室を開閉する回動可能な電池蓋が設けられている。そして、その電池蓋は、ヒンジピンにより回動自在に支持されるヒンジ板および防水パッキンが装着された防水パッキン受けと、ヒンジ板にスライド移動可能に支持される電池蓋体とを有している。電池蓋の閉止状態では、電池蓋体をヒンジピン側にスライド移動させて係止爪を底面部に備えられた係止穴に係止させる。その係止により電池蓋は閉止位置にロックされる。電池収容室は、防水パッキンにより密閉される。その構成によれば、電池蓋をロックするための専用の部材を必要としないため、構成が簡単な防水構造を有する電池蓋を提供することを可能としている。
【０００５】
例えば、携帯音楽プレーヤ等は、付属品であるヘッドホン（或いはイヤホン）が当該プレーヤに接続された状態で使用される。つまり、ヘッドホンのプラグが、当該プレーヤに設けられた端子（ヘッドホンジャック）に接続された状態で使用される。したがって、そのような携帯音楽プレーヤ等では、プラグが端子に接続された状態で、その端子を防水することが必要とされる。プラグが端子に接続された状態での防水構造について様々な技術が開示されている。
【０００６】
特許文献２に記載のプラグ差込器具は、イヤホンを押圧する方向に弾性力を有する防水パッキンをプラグ孔の周囲に設けている。この構成により、イヤホンプラグとイヤホンジャックとの間にガタがあったとしても、イヤホンと防水パッキンとの間に隙間が生じることがないので、内部に浸入する水を確実に防ぐことを可能としている。
【０００７】
また、特許文献３に記載のコネクタの防水構造は、通信機本体の外面にプラグ孔を囲繞する外輪壁を設け、マイクイヤホン側コネクタに外輪壁に嵌合密接可能なスカート状の弾性防水カバーを設けたことを特徴としている。この構成により、携帯電話等のマイクイヤホンと本体とを接続するコネクタ部の所要の防水性を確保している。
【０００８】
【特許文献１】特開２００３−１４２８４１号公報
【特許文献２】特開２００４−１１９２８４号公報
【特許文献３】特開平９−１２９３０１号公報
【発明の開示】
【発明が解決しようとする課題】
【０００９】
しかし、電子機器において、プラグ（コネクタ）が端子（コネクタ接続部）に接続された状態での防水構造を構築する場合、例えば、上述の特許文献２のプラグ差込器具および特許文献３のコネクタの防水構造の構成では、プラグを接続した状態では防水が保たれるものの、何かの拍子にケーブルが引っ張られた際にプラグが抜けてしまう可能性がある。それらの構成では、プラグが抜けてしまった状態では、防水状態を維持することができなくなる。
【００１０】
一方、プラグが全く抜けない構造であるとすると、今度は、電子機器としての使い勝手が悪くなってしまう。つまり、ヘッドホンが不要な場合には、ヘッドホンを取り外した状態で電子機器を使用したい場合もあるであろうし、ヘッドホンを好みのものに交換したい場合も生じうる。
【００１１】
そこで本発明は、上述した従来技術の問題点に鑑みてなされたものであり、コネクタを容易に着脱可能としつつも、コネクタ接続部の防水状態を確実に維持することができる電子機器の防水構造を提供することを目的とする。
【課題を解決するための手段】
【００１２】
上記の課題を解決するため、本発明では、コネクタ接続部を備えた電子機器の防水構造であって、当該電子機器の本体に対して開閉可能に設けられた蓋部材と、前記蓋部材が閉じた状態において、前記本体と前記蓋部材との間で、当該電子機器外部に対して防水状態が形成されつつ密閉される領域として形成される収納部と、を有し、前記コネクタ接続部は前記収納部内に配置されており、前記コネクタ接続部に接続されるコネクタは前記収納部内に収納可能であり、当該コネクタから延びるケーブルを、前記収納部の防水状態を維持したまま、前記蓋部材と前記本体との間から当該電子機器外部へと案内する防水案内部をさらに設けたことを特徴とする電子機器の防水構造。
【００１３】
したがって、本発明によれば、電子機器において、ヘッドホンジャック等のプラグ接続部にプラグを接続した状態で、プラグおよびその接続部を蓋部材で収納可能である。また、プラグから延びるケーブルは、蓋部材と電子機器本体との間から電子機器の外部へ案内される。この構成により、プラグとその接続部を含む収納部分の防水状態を維持することができる。また、蓋部材を開いた状態とすれば、プラグおよびケーブルを電子機器本体から容易に取り外し可能である。したがって、本発明の電子機器の防水構造では、プラグを容易に着脱可能としつつも、プラグ接続部の防水状態を確実に維持することができる。
【００１４】
また、本発明に係る電子機器の防水構造では、蓋部材は、一端が回動可能に本体に軸支されると共に収納部を密閉する密閉部材と、密閉部材によって収納部が密閉された状態を維持するためのロック手段を有する外蓋部材と、を備えることを特徴とする。
【００１５】
また、外蓋部材は、密閉部材が収納部を密閉している状態で、密閉部材を当該電子機器の外側から覆うと共に、密閉部材に沿ってその回動軸に直交する方向にスライド可能に取り付けられており、且つ密閉部材と共に回動し、ロック手段は、密閉部材が閉じた状態において、外蓋部材を回動軸に直交する方向において回動軸から離れた方向から回動軸へ近づく方向へスライドさせることにより、外蓋部材が密閉部材が閉じた状態を維持するよう機能する構成を有することを特徴とする。
【００１６】
また、防水案内部は、ケーブルを、外蓋部材のスライド方向に案内することを特徴とする。
【００１７】
また、本体は収納部の周囲に突設された係合部を有しており、密閉部材は係合部に沿って配設されると共に係合部に係合する被係合部を有することを特徴とする。
【００１８】
また、密閉部材は板状部材であって、被係合部は密閉部材の周縁部に備えられ且つ他の部位よりも所定量収納部側に突出していることを特徴とする。
【００１９】
また、係合部または被係合部のいずれか一方はその断面形状が凸型であり、他方の断面形状は凸型に係合するよう形成された凹型であることを特徴とする。
【００２０】
また、防水案内部は、係合部に形成され係合部の断面に略平行な方向に延びる第一の溝部と、被係合部において第一の溝部に対向する位置に形成され被係合部の断面に略平行な方向に延びる第二の溝部とを有し、第一の溝部と第二の溝部とによりケーブルを挟持することにより、ケーブルを収納部の防水状態を維持したまま、蓋部材と本体との間から電子機器外部へと案内することを特徴とする。
【００２１】
また、第一の溝部および第二の溝部は、密閉部材の回動軸に直交する方向に延びることを特徴とする。また、防水案内部は、ケーブルがない状態において、第一の溝部が被係合部に覆われることにより、また第二の溝部が係合部に覆われることにより、収納部の防水状態を維持することを特徴とする。
【００２２】
また、係合部または被係合部のうちの少なくともいずれか一方が弾性部材により形成されていることを特徴とする。また、被係合部が弾性部材により形成されている場合に、蓋部材が被係合部を係合部側へ押圧するための突起である被係合部押圧突部を備えることを特徴とする。また、密閉部材は全てが弾性部材により形成されていてもよい。
【００２３】
また、外蓋部材は、ケーブルを案内するための切り欠き部を有し、切り欠き部と防水案内部とは、蓋部材が閉じた状態において、密閉部材の回動軸に直交する方向に沿うように配置されていることを特徴とする。
【００２４】
また、コネクタ接続部に接続されるコネクタはＬ字型のプラグであり、密閉部材は、蓋部材が閉じた状態において、プラグに当接すると共にプラグをその差込方向に押圧可能であることを特徴とする。
【００２５】
また、収納部は、当該プラグがその差込方向に押圧された場合に、コネクタ接続部を差込方向とは逆方向に付勢する付勢手段をさらに備えることを特徴とする。
【００２６】
また、収納部は、電池、記録媒体、有線接続コネクタのうちの少なくともいずれかをさらに収納可能であることを特徴とする。
【発明の効果】
【００２７】
したがって、本発明は上記の構成により、コネクタを容易に着脱可能としつつも、コネクタ接続部の防水状態を確実に維持することができる電子機器の防水構造を提供することを目的とする。
【発明を実施するための最良の形態】
【００２８】
以下、図面を参照して本発明に係る電子機器の防水構造の具体的な実施形態を説明する。
【００２９】
図１は、電子機器１の外観図である。本発明の実施形態では、電子機器１は例えば防水タイプのデジタルカメラである。なお、このデジタルカメラには、ヘッドホンジャックが設けられているものとする。つまり、このデジタルカメラは、動画の音声や録画した音声をヘッドホン（イヤホン）を介して出力することができる。また、このデジタルカメラは、オーディオプレーヤの機能を備え、当該プレーヤの機能による音声を、ヘッドホンを介して出力可能な構成であってもよい。なお、本発明の実施形態では、電子機器１を上述のようなデジタルカメラとして説明するが、例えば、携帯型の電子機器である、液晶テレビ、携帯電話、ＣＤプレーヤ、ＭＤプレーヤ、ＤＶＤプレーヤ、電子手帳、電子辞書、パソコン、ＰＤＡ、ビデオカメラ、ラジオ等であってもよい。つまりは、本発明は、ヘッドホンジャックが備えられている電子機器であって、防水を必要とするものに対して適用することができる。
【００３０】
図１（ａ）は電子機器１の正面図である。電子機器１は、本体１００と蓋部材２００とを有する。本体１００は、正面部１００ａと、背面部１００ｂ（図１（ｂ）参照）と、右側面部１００ｃと、上面部１００ｄと、底面部１００ｅと、左側面部１００ｆとを有する。蓋部材２００は、本体１００の底面部１００ｅに備えられており、底面部１００ｅの図中右側半分程度を覆うように設けられている。本体１００の正面１００ａには、撮影レンズを有するレンズ部１１０や、撮影時に発光するフラッシュ部１２０等がそれぞれ設けられている。レンズ部１１０やフラッシュ部１２０はそれぞれ本体１００内部に対して防水となるような構造を有する。
【００３１】
図１（ｂ）は電子機器１の背面図である。本体１００の背面部１００ｂには液晶表示部１３０、操作ボタン部１４０が設けられている。液晶表示部１３０には、撮影した画像・動画、撮影時の被写体像、その他各種操作画面等が表示される。操作ボタン部１４０は、撮影に関するもの、オーディオ機能に関するものが含まれる。液晶表示部１３０および操作ボタン部１４０はそれぞれ本体１００内部に対して防水となるような構造を有する。
【００３２】
図１（ｃ）は電子機器１の右側面図である。本体１００の右側面部１００ｃと蓋部材２００の境界付近には、ケーブルを挿通するためのケーブル穴１５０が形成されている。このケーブル穴１５０は、本体側の切り欠き部と蓋部材側の切り欠き部により構成されている。後述するように、蓋部材２００に覆われる本体１００の部位には、ヘッドホンジャックが配置されている。そのヘッドホンジャックに接続されたプラグも蓋部材２００により収納可能である。そして、プラグから延びるケーブルは、このケーブル穴１５０を通って電子機器１外部へ延出する。
【００３３】
図１（ｄ）は電子機器１の上面図である。本体１００の上面部１００ｄには、電源ボタン１６０やシャッターボタン１７０が設けられている。この電源ボタン１６０やシャッターボタン１７０もそれぞれ本体１００内部に対して防水となるような構造を有する。
【００３４】
図１（ｅ）は電子機器１の底面図である。本体１００の底面部１００ｅには、三脚ねじ穴１８０、および蓋部材２００により覆われる収納部３００（不図示）が設けられている。電子機器１は、その三脚ねじ穴１８０に三脚側のねじを螺合させることにより、三脚に固定可能である。蓋部材２００は、本体１００に対して開閉可能な構造を有しており、閉じた状態においては、収納部３００を防水状態とする機能を有している（詳細は後述する）。
【００３５】
図２は、電子機器１の底面図であり、説明の便宜上、蓋部材２００を取り去った状態を示す図である。本体１００の底面部１００ｅは、蓋部材２００に覆われる収納部３００を有する。収納部３００には、ヘッドホンジャック３０１と、ＵＳＢコネクタ３０２と、メモリカード室３０３と、電池室３０４とが備えられている。
【００３６】
ヘッドホンジャック３０１は、ヘッドホンのプラグを紙面垂直奥側へ挿入することが可能である。ＵＳＢコネクタ３０２は、ＵＳＢプラグを紙面垂直奥側へ挿入することが可能である。メモリカード室３０３は、記録媒体としてもメモリカードを紙面垂直方向に出し入れ可能なスペースである。例えば、メモリカード室３０３は、メモリカードを奥まで挿入すると、メモリカードは固定され、その後メモリカードを奥へ押すように押圧すると、今度は、メモリカードがメモリカード室３０３から飛び出すような機構を有する。電池室３０４は、充電電池等の電池を紙面垂直方向に出し入れ可能なスペースである。電池室３０４は、図示しないが充電電池を奥まで挿入した状態で、当該充電電池を固定、その後解除する機構を有する。
【００３７】
本体１００の底面部１００ｅにおいて、収納部３００の周囲には、蓋部材２００の一部と係合して収納部３００に防水状態を形成するための防水リブ１０５が突設されている。防水リブ１０５は、例えば、樹脂や金属等で形成されている。防水リブ１０５の一部には、プラグから延びるケーブルを案内するためのケーブル溝１０６が形成されている。ケーブル溝１０６は、収納部３００の図中右端側に形成されており、電子機器１の左右方向に延びる形状を有する。また、ケーブル溝１０６は、防水リブ１０５において、正面部１００ａと背面部１００ｂの中間付近に配置されるように形成されている。なお、防水リブ１０５は、弾性部材により形成されていてもよい。
【００３８】
また、本体１００の底面部１００ｅにおいて、収納部３００の図中左側で且つ防水リブ１０５よりも外部の位置おいて、軸部１０７が配設されている。この軸部１０７は、その軸方向が、本体１００の正面部１００ａ（或いは背面部１００ｂ）に対し垂直となるように配置されている（なお、正面部１００ａおよび背面部１００ｂは略平行であるものとする）。蓋部材２００は、この軸部１０７を中心に回動可能に取り付けられる。
【００３９】
また、本体１００の底面部１００ｅにおいて、収納部３００の図中右側で且つ防水リブ１０５よりも外部の位置には、切り欠き部１５１が形成されている。この切り欠き部１５１は、図１に示すケーブル穴１５０の一部をなすものである。
【００４０】
図３および図４は、蓋部材２００の構造を示す図である。図３は蓋部材２００の裏面側（収納部３００側）の外観図であり、図４は図３に示す蓋部材２００のＳ１−Ｓ１断面図である。蓋部材２００は、外蓋部２２０と内蓋部２４０とを有する。
【００４１】
内蓋部２４０は、親板２４１と弾性部材２５０とを有する。親板２４１は、板状部材であり、その端部（図中下側）にヒンジ部２４２を有する。ヒンジ部２４２は、本体１００の底面部１００ｅに設けられた軸部１０７（図２）を軸通するよう形成されている。したがって、親板２４１はその一端において軸部１０７を中心として本体１００に対して回動可能な構成となっている。弾性部材２５０は、親板２４１に固定されている。弾性部材２５０は例えば接着や圧入等の手段により親板２４１に固定される。弾性部材２５０は親板２４１と一体となって、軸部１０７を中心に回動可能である。つまりは、内蓋部２４０は、軸部１０７を中心に回動可能である。
【００４２】
弾性部材２５０は、平板状部２５１と防水リブ２５２を有する。防水リブ２５２は、平板状部２５１の周縁部に沿って、図３紙面手前側（図４中右側）に向けて突設されている。防水リブ２５２は、その防水リブ２５２に沿って形成された凹部２５３を有する。凹部２５３は、防水リブ２５２に沿って形成されている。また、この凹部２５３は、本体１００の底面部１００ｅに形成されている防水リブ１０５に係合可能な形状となっている。
【００４３】
また、防水リブ２５２は、防水リブ１０５と係合した状態において防水リブ１０５のケーブル溝１０６に対応する位置に、ケーブル溝２５４を有する。防水リブ２５２は、平板状部２５１に突設され且つ凹部２５３を有するので、その凹部２５３の両側には凸部を有する。ケーブル溝２５４はその両凸部に形成される溝である。
【００４４】
外蓋部２２０は、電子機器１において内蓋部２４０よりも外側に配置される部材であり、図１における電子機器１の外観において見ることができる部材である。外蓋部２２０は樹脂等で成型された部材である。外蓋部２２０は、図３中上下方向に垂直な断面はコの字形状であって、その一端（図３中上側）は閉塞した形状を有する。また、外蓋部２２０は、そのコの字が閉塞した位置から、図３，４中下方向に突出するロック部２２１を有する。また、外蓋部２２０は、そのコの字の両壁の内側からそれぞれ２つずつ所定量突出し、計４つの親板押さえ２２２を有する。また、外蓋部２２０は、そのコの字形状において、前述の両壁を支持する底面部２２３を有する。
【００４５】
外蓋部２２０は、親板押さえ２２２と底板部２２３とで、内蓋部２４０の親板２４１をスライド可能に保持している。言い換えれば、外蓋部２２０は、親板２４１に対してスライド可能に取り付けられている。外蓋部２２０は、内蓋部２４０と共に軸部１０７を中心に回動可能である。なお、親板２４１に固定されている弾性部材２５０は、親板押さえ２２２には接触しない。
【００４６】
外蓋部２２０のロック部２２１は、蓋部材２００を閉じた状態で固定（ロック）する機能を有する。外蓋部２２０を図３，４中上下方向にスライドさせることで、蓋部材２００を本体１００に対してロックすることが可能となる。図示しないが、外蓋部２２０は、内蓋部２４０に対して所定量スライド可能な構成となっている。そこで、外蓋部２２０が軸部１０７に最も近づいたときの配置を「ロック位置」、軸部１０７から最も離れたときの配置を「ロック解除位置」と称すものとする。なお、図３，４に示す外蓋部２２０の配置は、「ロック解除位置」である。
【００４７】
また、外蓋部２２０は、外蓋部２２０は、そのコの字が閉塞した位置において、図３中上下方向に延びるように切り欠かれた切り欠き部２２１ａを有する。この切り欠き部２２１ａは、ケーブル溝２５４に対し、外蓋部２２０のスライド方向に沿って形成されている。また、この切り欠き部２２１ａは、図１に示したケーブル穴１５０の一部をなすものである。
【００４８】
また、蓋部材２００は、本体１００に対し、軸部１０７を中心として回動する。そこで、図４において、蓋部材２００がヒンジ部２４２に軸通される軸部１０７を中心に時計回りに回動するときの回動方向を蓋部材２００の「閉止方向」と、その逆方向に回動するときの回動方向を「開放方向」と称すものとする。
【００４９】
図５は、蓋部材２００の各状態を説明するための図である。なお、図５では、蓋部材２００が開いている状態から閉しまっている（ロック）状態までを順を追って説明する。
【００５０】
図５（ａ）は、蓋部材２００が開いている状態を示す図である。ここで、図５（ａ）に示す状態を含め、蓋部材２００が開いている状態（すなわち、収納部３００を外部から見ることができ、プラグ等の着脱が可能な状態）を「開放状態」と称すものとする。蓋部材２００は、例えば、ヒンジ部２４２において、開放方向に回動するように付勢されていてもよい。この開放状態では、ユーザは、収納部３００のヘッドホンジャック３０１に対しプラグを着脱したり、ＵＳＢコネクタ３０２に対しＵＳＢケーブルを着脱したり、メモリカード室３０４のメモリカードを取り替えたり、電池室３０４の電池を取り替えたり、といった作業を行うことができる。
【００５１】
図５（ｂ）は、図５（ａ）に示す開放状態から、蓋部材２００を閉止方向に回動させて、収納部３００を覆った状態を示す。また、外蓋部２２０は、ロック解除位置に配置されている。この状態では、内蓋部２４０が収納部３００を覆っており、内蓋部２４０側の防水リブ２５２と本体１００側の防水リブ１０５が係合している。また、この状態では、蓋部材２００はロックされていないので、外力により開放方向に回動可能である。この状態を「未ロック状態」と称すものとする。
【００５２】
図５（ｃ）は、図５（ｂ）に示す未ロック状態から、外蓋部２２０をロック位置に移動させた状態を示す。この状態では、蓋部材２００は開放方向に（当然閉止方向にも）回動不可となる。この状態を「ロック状態」と称するものとする。このロック状態では、内蓋部２４０側の防水リブ２５２と本体１００側の防水リブ１０５がしっかりと係合して密着するため、収納部３００は防水状態となる。また、これは図１に示す状態でもある。なお、防水リブ２５２のケーブル溝２５４および防水リブ１０５のケーブル溝１０６付近の防水構造については後述する。
【００５３】
例えば、収納部３００のヘッドホンジャック３０１にプラグが取り付けられている場合、図５（ｂ）から図５（ｃ）に示す状態では、プラグから延びるケーブルを電子機器１外部に延ばしつつ、外蓋部２２０をスライドさせてロックさせる。その場合、当該ケーブルは、ケーブル溝２５４，１０６および切り欠き部１５１，２２１ａを通って、収納部３００から外部へと案内される。切り欠き部２２１ａは、ケーブル溝２５４，１０６に対し外蓋部２２０のスライド方向に設けられているため、外蓋部２２０をスライドさせても、ケーブルに負担を与えることなく蓋部材２００のロックが可能な構成となっている。
【００５４】
次に、図６から図９を参照して、蓋部材２００側の防水リブ２５２、本体１００側の防水リブ１０５による防水構造について詳細に説明する。なお、この説明においては、ヘッドホンジャック３０１にプラグが取り付けられていない状態、すなわち、プラグから延びるケーブルが、防水リブ２５２および防水リブ１０５を通過しない場合の防水構造について説明する。
【００５５】
図６は、収納部３００およびその周囲の防水リブ１０５を模式的に示す図であり、図２と同じ方向から見た図である。
【００５６】
図７は、図６のＳ２−Ｓ２断面図であって、本体１００側の防水リブ１０５付近に加えて蓋部材２００側の防水リブ２５２付近を含めて示したものである。図７（ａ）は、蓋部材２００が開放状態から未ロック状態直前である場合を示す図である。図７（ｂ）は、蓋部材２００がロック状態である場合を示す図である。図７（ａ）に示すように、防水リブ２５２の凹部２５３の幅は、防水リブ１０５の幅よりわずかに小さくなるように設定されている。したがって、図７（ｂ）に示すロック状態では、防水リブ２５２の凹部２５３は、防水リブ１０５との係合により、少し広がった状態となる。この状態では、防水リブ２５２の弾性応力により、凹部２５３は、防水リブ１０５の表面に密着する。このような構成とすれば、防水効果を高くすることができる。
【００５７】
図８は、防水リブ２５２のケーブル溝２５４付近と防水リブ１０５のケーブル溝１０６付近とを示した図であり、図６の矢印Ａ方向から見た図である。図８（ａ）は、図７（ａ）と同様、蓋部材２００が開放状態から未ロック状態直前である場合を示す図である。図８（ｂ）は、図７（ｂ）と同様、蓋部材２００がロック状態である場合を示す図である。ケーブル溝２５４およびケーブル溝１０６は、図８の方向から見て、半円形であり、案内するケーブルの径と同等ないしはわずかに小さいくらいの径を有するように形成されている。
【００５８】
各防水リブ２５２，１０５と各ケーブル溝２５４，１０６の形状や大きさの特徴を説明する。ケーブル溝２５４の最深部の深さ（ケーブル溝２５４が完全な半円形である場合にはその半径）をＲとし、防水リブ２５２の凹部２５３の深さをＤとする。また、ケーブル溝１０６の最深部の深さ（ケーブル溝１０６が完全な半円形である場合にはその半径）をｒとし、防水リブ１０５の高さをｄとする。防水リブ２５２と防水リブ１０５とは、Ｒ＋ｒ＜ｄおよびＲ＋ｒ＜Ｄを共に満たすようにそれぞれは形成される。このようにすれば、図８（ｂ）に示すように、ロック状態において、ケーブル溝２５４とケーブル溝１０６は、互いに重複することがないため（言い換えれば、ケーブル溝２５４は防水リブ１０５により覆われ、ケーブル溝１０６は防水リブ２５２により覆われるため）、収納部３００と電子機器１外部との防水状態を維持することができる。
【００５９】
図９は、蓋部材２００のロック機構を詳細に説明するための図であり、図６のＳ２−Ｓ２断面図であって蓋部材２００を含めて示す図である。図９（ａ）は未ロック状態、図９（ｂ）はロック状態をそれぞれ示す図である。
【００６０】
本体１００には、外蓋部２２０のロック部２２１と係合するためのロック係合部１２０が形成されている。ロック係合部１２０は、防水リブ１０５の付近であり下方側に形成されている。ロック係合部１２０は、ロック部２２１の厚み（図中上下方向）よりもわずかに大きい幅（図中上下方向）を有する。
【００６１】
図９（ａ）は、未ロック状態である。この状態は、蓋部材２００が閉止方向に押圧された状態にある。この押圧された状態では、蓋部材２００のロック部２２１と本体１００のロック係合部１２０とが向き合った位置となる。親板２４１は突起部２４１ａを有する。この突起部２４１ａは、親板２４１において、防水リブ２５２に沿った位置に設けられている（ただし、ケーブル溝２５４に対応する部分には設けられていない）。この突起部２４１ａは、例えば、外蓋部２２０が、閉止方向に押圧された際に、弾性部材２５０のうち防水リブ２５２を防水リブ１０５に押圧する機能を有する。
【００６２】
図９（ａ）に示す状態から、外蓋部２２０をロック位置までスライドさせると、ロック部２２１がロック係合部１２０に係合する。そして、外蓋部２２０に対する閉止方向の押圧が解除されると、ロック部２２１の上面とロック係合部１２０の上面とが圧接状態となる。つまり、防水リブ２５２は、親板２４１と防水リブ１０５に挟持された状態にあるため、圧縮状態にあるので、ロック状態では、防水リブ２５２の弾性力により、外蓋部２２０は、開放方向への応力を受ける。そのような理由で、ロック状態では、ロック部２２１とロック係合部１２０とは圧接状態となるため、両者の間の摩擦により、外蓋部２２０は、左右方向へは容易には動かない。外蓋部２２０をロック解除位置にスライドさせるためには、まず外蓋部２２０を閉止方向に押圧し、ロック部２２１とロック係合部１２０との摩擦を解除した後、外蓋部２２０をロック解除方向へスライドさせる。なお、例えば、ロック部２２１の先端部に図中上向きにわずかに突出した突起を形成し、ロック係合部１２０にはその突起に係合する係合溝を形成して、ロック部２２１とロック係合部１２０の係合をより強固なものとしてもよい。
【００６３】
以上の説明では、ヘッドホンジャック３０１にプラグを取り付けない状態での、電子機器１の防水構造について説明した。本願発明の防水構造は、プラグを取り付けた状態であってもその防水状態を維持する構造を有する。
【００６４】
図１０は、図６に対応する図であり、ヘッドホンジャック３０１にプラグ４００を取り付けた場合を示す図である。プラグ４００はヘッドホンジャック３０１に取り付けられる。プラグ４００から延びるケーブル４１０は、ケーブル溝１０６を経て電子機器１外部へ案内される。なお、プラグ４００はＬ字型、すなわち、ヘッドホンジャック３０１への取り付け方向とケーブル４１０が延びる方向とが直交したタイプのものが使用される。
【００６５】
図１１は、防水リブ２５２のケーブル溝２５４付近と防水リブ１０５のケーブル溝１０６付近とを示した図であり、図１０の矢印Ｂ方向から見た図である（図８に対応する図である）。図１１（ａ）は、図８（ａ）と同様、蓋部材２００が開放状態から未ロック状態直前である場合を示す図である。図１１（ｂ）は、図８（ｂ）と同様、蓋部材２００がロック状態である場合を示す図である。
【００６６】
ケーブル４１０は、一般的に、導線をビニールや樹脂等の絶縁材で被覆したものである。ケーブル溝２５４，１０６の径は、ケーブル４１０の外径（絶縁材の径）よりも小さく、導線の径よりも大きくなるように設定される。図１１（ｂ）に示すように、ロック状態では、ケーブル溝２５４，１０６以外の部分は、防水リブ１０５と防水リブ２５２が密着する。ケーブル溝２５４，１０６の部分では、ケーブル４１０は防水リブ１０５側のケーブル溝１０６に入り込んだ状態であり（ケーブル溝１０６に係合するケーブル４１０の絶縁材は多少圧縮された状態となる）、且つ、防水リブ２５２が変形した状態でケーブル４１０を図中上方から覆う。上述したように、親板２４１には防水リブ２５２に沿って突起部２４１ａ（図９）が設けられているが、ケーブル溝２５４に対応する部分のみその突起部２４１ａは設けられていない。これは、ケーブル溝２５４の位置の防水リブ２５２のみが親板２４１側へ所定量弾性変形可能であることを意味する。このようにすれば、ケーブル４１０をケーブル溝２５４とケーブル溝１０６とで挟み込んだ際に、ケーブル溝２５４周辺の防水リブ２５２が防水リブ１０５と離れてしまうことがない。したがって、防水リブ２５２と防水リブ１０５の間においてケーブル４１０が通される状態であっても確実な防水状態を維持することができる。
【００６７】
図１２は、図１１（ｂ）中の矢印Ｃの方向から見た図である。ケーブル溝２５４が形成されている部分の防水リブ２５２は、ケーブル４１０から受ける圧力により弾性変形して、ケーブル４１０の長手方向両側に広がる。このような構成により、ケーブル溝２５４付近の防水リブ２５２は、例えば、ケーブル４１０から受ける圧力が大きければその弾性変形量を大きくし、ケーブル４１０から受ける圧力が小さければその弾性変形量を小さくすることができる。これにより、防水リブ２５２は、ケーブル４１０から受ける圧力を調整することができるので、防水リブ２５２の他の部分（ケーブル溝２５４がない部分）が受ける圧力との間で均一化を図ることができる。つまり、防水リブ２５２において、ケーブル溝２５４の位置のみ高い圧力を受けてしまうということを防止することができる。また、防水リブ２５２を図中矢印方向に押さえつけるような突起が親板２４１に設けられていてもよい。そのようにすれば、さらに防水効果が高くなる。
【００６８】
図１３は、収納部３００付近を示す断面図であり、図１０のＳ３−Ｓ３断面図である。収納部３００は、コネクタ室５００を有し、コネクタ室５００内部には、ヘッドホンジャック３０１、ストッパ付きバネ５２０、バネ５３０がそれぞれ配置されている。また、ヘッドホンジャックには、プラグ４００が接続されている。
【００６９】
ヘッドホンジャック３０１は、略円柱状の部材であり、コネクタ室５００内部において、ストッパ付きバネ５２０により支持されている。ストッパ付きバネ５２０は板バネ部材である。ストッパ付きバネ５２０は、例えば、コネクタ室５００の底部５０１から立設するように２つ配置されており、ヘッドホンジャック３０１の直径方向の両外側にそれぞれヘッドホンジャック３０１の円柱高さ方向に沿うように配置されている。或いは、ストッパ付きバネ５２０は、コネクタ室５００の底部５０１から立設するように４つ配置されており、ヘッドホンジャック３０１の直径方向の両外側およびその直径方向に直交する方向の両外側にそれぞれヘッドホンジャック３０１の円柱高さ方向に沿うように配置される構成であってもよい。
【００７０】
また、ストッパ付きバネ５２０は、その中腹部付近において、ヘッドホンジャック３０１の方向へ向いた凸形状部５２１を有する。この凸形状部５２１におけるコネクタ室５００の底部５０１側は、底部５０１とおよそ平行になるように形成されており、蓋部材２００側は、ヘッドホンジャック３０１に近づくほど底部５０１側へ近づくように底部５０１に対して傾斜するように形成されている。
【００７１】
ヘッドホンジャック３０１は、その円柱高さ方向の中央部付近の周囲に、ストッパ付きバネ５２０の凸形状部５２１と係合するストッパ係合部３０１ｂを有する。ストッパ係合部３０１ｂは、そのコネクタ室５００の底部５０１と平行な方向に形成された凹形状を有する。このヘッドホンジャック３０１のストッパ係合部３０１ｂとストッパ付きバネ５２０の凸形状部５２１との作用により、ヘッドホンジャック３０１は、図中上側方向（底部５０１から蓋部材２００へ向う方向）への移動が所定の位置で規制される。また、ヘッドホンジャック３０１は、図中下側へ移動した場合には、ストッパ付きバネ５２０により図中上側へ付勢される（すなわち、ヘッドホンジャック３０１が下側へ移動すると、ストッパ付きバネ５２０の凸形状部５２１がヘッドホンジャック３０１の周囲に押されることにより、ストッパ付きバネ５２０がヘッドホンジャック３０１とは反対側に押圧されるので、今度はストッパ付きバネ５２０は弾性力によりヘッドホンジャック３０１を押圧する。その状態にあっては、ストッパ付きバネ５２０の凸形状部５２１はヘッドホンジャック３０１のストッパ係合部３０１ｂと係合して、結果としてヘッドホンジャック３０１を上方へ押し上げる）。
【００７２】
図１３に示す状態では、ヘッドホンジャック３０１にプラグ４００が取り付けられており、さらに蓋部材２００がロック状態にある。この状態では、蓋部材２００の弾性部材２５０は、プラグ４００に当接すると共に、プラグ４００を図中下方向（プラグ４００の挿入方向）に多少押圧している。ヘッドホンジャック３０１はプラグ４００が接続された状態では、プラグ４００と一体となって移動するので、プラグ４００が弾性部材２５０により押圧されることにより、ヘッドホンジャック３０１も図中下方向に押圧される。ヘッドホンジャック３０１は、上述したように、図中下方向に押圧されると、ストッパ付きバネ５２０の作用により図中上方向に付勢されるので、結果として、プラグ４００も図中上側に付勢される。したがって、図１３に示す状態では、プラグ４００は、弾性部材２５０とヘッドホンジャック３０１とにより確固に保持される。また、プラグ４００は、図中上下方向に固定されると共に、図中左右方向（ケーブル４１０の延びる方向）にも固定されるため、例えば、電子機器１外部からケーブル４１０が引っ張られたとしても、ケーブル４１０は移動しない。これは、ケーブル溝２５４およびケーブル溝１０６においても、ケーブル４１０がずれないことを意味し、結果としてケーブル溝位置における防水状態が堅固なものとなっていることを意味する。
【００７３】
また、バネ５３０は、コネクタ室５００の底部５０１とヘッドホンジャック３０１の底部３０１ａとに取り付けられている。バネ５３０は、ヘッドホンジャック３０１に対するストッパ付きバネ５２０の作用を補助する機能を有する。また、本体からプラグ４００への導通路として機能する。
【００７４】
また、蓋部材２００が開放状態である場合には、プラグ４００は、コネクタ室５００から突出しているので、ユーザがプラグ４００を掴みやすい構造になっている。
【００７５】
なお、本発明の実施形態では、防水リブ２５２に凹部を形成し、防水リブ１０５を凸形状としたが、例えば、防水リブ２５２を凸形状とし、防水リブ１０５に凹部を形成する構成であってもよい。また、防水リブ２５２および防水リブ１０５の双方が凸形状であってもよい。また、防水リブ２５２は弾性を有しており、防水リブ１０５は弾性を有していなかったが、防水リブ１０５が弾性を有するように形成されてもよい。また、防水リブ２５２および防水リブ１０５の双方が弾性を有するように形成されていてもよい。また、蓋部材２００のロック機構も上述のものに限定されるものではない。また、収納部３００には、上述のような、ヘッドホンジャック３０１、ＵＳＢコネクタ３０２、メモリカード室３０３、電池室３０４以外にも、例えば、ＡＶ端子、外部電源端子等があってもよい。
【００７６】
本発明によれば、電子機器において、ヘッドホンジャック等のプラグ接続部（コネクタ接続部）にプラグ（コネクタ）を接続した状態で、プラグおよびその接続部を蓋部材で収納可能である。また、プラグから延びるケーブルは、蓋部材と電子機器本体との間から電子機器の外部へ案内される。この構成により、プラグとその接続部を含む収納部分の防水状態を維持することができる。また、蓋部材を開いた状態とすれば、プラグおよびケーブルを電子機器本体から容易に取り外し可能である。したがって、本発明の電子機器の防水構造では、プラグを容易に着脱可能としつつも、プラグ接続部の防水状態を確実に維持することができる。
【００７７】
また、本発明の実施形態においては、デジタルカメラに本発明の防水構造を採用したが、例えば、デジタルカメラはヘッドホンをつけない場合の用途（例えば、撮影等）もあるため、頻繁にヘッドホンのプラグを着脱することが想定される。また、市販されているデジタルカメラには、完全防水タイプのものも多数ある。本発明は、それらの防水機構にさらに、コネクタ周りの防水構造を提供するものである。なお、上述したように、本発明の防水構造を採用する電子機器は、デジタルカメラに限定されるわけではなく、さまざまな電子機器において使用可能である。
【図面の簡単な説明】
【００７８】
【図１】電子機器の外観図である。
【図２】電子機器の底面図であり、説明の便宜上、蓋部材を取り去った状態を示す図である。
【図３】蓋部材の構造を示す図である。
【図４】蓋部材の構造を示す図である。
【図５】蓋部材の各状態を説明するための図である。
【図６】収納部およびその周囲の防水リブを模式的に示す図である。
【図７】図６のＳ２−Ｓ２断面図である。
【図８】防水リブのケーブル溝付近を示した図である。
【図９】蓋部材のロック機構を詳細に説明するための図である。
【図１０】ヘッドホンジャックにプラグを取り付けた場合を示す図である。
【図１１】防水リブのケーブル溝付近を示した図である。
【図１２】図１１（ｂ）中の矢印Ｃの方向から見た図である。
【図１３】収納部付近を示す断面図であり、図１０のＳ３−Ｓ３断面図である。
【符号の説明】
【００７９】
１  電子機器
１００  本体
１０５  防水リブ
１０６  ケーブル溝
２００  蓋部
２２０  外蓋部
２４０  内蓋部
２４１  親板
２５０  弾性部材
２５２  防水リブ
２５４  ケーブル溝
３００  収納部
３０１  ヘッドホンジャック
４００  プラグ
４１０  ケーブル
５００  コネクタ室
５２０  ストッパ付きバネ
【図１】
2007305353.tif 000003
【図２】
2007305353.tif 000004
【図３】
2007305353.tif 000005
【図４】
2007305353.tif 000006
【図５】
2007305353.tif 000007
【図６】
2007305353.tif 000008
【図７】
2007305353.tif 000009
【図８】
2007305353.tif 000010
【図９】
2007305353.tif 000011
【図１０】
2007305353.tif 000012
【図１１】
2007305353.tif 000013
【図１２】
2007305353.tif 000014
【図１３】
2007305353.tif 000015